(57)【要約】      （修正有）【課題】切れた長尺被処理物をつなぐ修理及び電子線照射装置内の点検を容易にする電子線照射装置を提供する。【解決手段】電子線照射対象の長尺被処理物Ｓを巻き掛けて走行させるキャプスタン装置３に長尺被処理物Ｓを新たに巻き掛け走行させる電子線照射装置２において、キャプスタン装置３及び電子ビームキャッチャー６を電子線照射室１に対して出し入れすることができ、電子ビームキャッチャー６は電子線照射室１から引き出されたキャプスタン装置３に対して出し入れ可能とすることから、電子線照射装置の修理及び点検作業が容易になる。【選択図】図１
2012078261.tif 000002
【特許請求の範囲】
【請求項１】
電子線照射室と、前記電子線照射室に設けられた電子線照射装置と、前記電子線照射装置の電子線照射窓に臨むように配置されて用いられるキャプスタン装置及び電子ビームキャッチャーとを含んでおり、前記キャプスタン装置は第１及び第２のプーリ群を含んでおり、電子線照射対象の長尺被処理物を該第１及び第２のプーリ群に巻き掛け走行させることができ、前記電子ビームキャッチャーは前記第１及び第２のプーリ群間の長尺被処理物走行路を間にして前記電子線照射窓に臨むように配置されるものであり、前記電子線照射室内で、前記キャプスタン装置の第１及び第２のプーリ群に巻き掛け走行させた電子線照射対象の長尺被処理物に前記電子線照射装置から電子線を照射して目的とする処理を施す電子線処理装置であり、前記キャプスタン装置及び前記電子ビームキャッチャーは前記電子線照射室に対して出し入れ可能であり、前記電子ビームキャッチャーは前記電子線照射室から引き出された前記キャプスタン装置に対して出し入れ可能であることを特徴とする電子線照射装置。
【請求項２】
前記キャプスタン装置における前記第１及び第２のプーリ群はそれぞれの回転軸の両端部が軸受け装置を介して該キャプスタン装置の台フレームに回転可能に支持されており、前記第１、第２のプーリ群の回転軸のそれぞれの一端部を支持する軸受け装置は、該回転軸を該回転軸他端部を支持する軸受け装置に片持ち支持させた状態で分解組み立て可能である請求項１記載の電子線処理装置。
【発明の詳細な説明】
【技術分野】
【０００１】
本発明は電子線による処理装置、特に、例えば合成樹脂等で被覆した電線のような長尺被処理物をキャプスタンプーリ群に巻き掛けて走行させつつ該長尺被処理物に電子線を照射して目的とする処理を施す電子線処理装置に関する。
【背景技術】
【０００２】
電子線処理装置は、電線被覆材料、各種チューブ（電線ジョイント部のカバー等に用いるチューブ等）などの高分子材料を電子線照射により架橋させて該被覆材料やチューブ類等の特性、例えば耐熱性、熱収縮性などを向上させることや、塗膜等のキュアリング、医療品の殺菌等に使用されている。
【０００３】
これら被照射物のうちチューブ類や、被覆材料で被覆された電線などの長尺被処理物に電子線を照射する場合、それらの表面各部にできるだけ均一に電子線を照射するために、例えば特開２００３−１５７７３６号公報に記載されているような、キャプスタンと称されている巻き掛け装置が広く採用されている。
【０００４】
また、キャプスタン装置における長尺被処理物の走行路を間にして電子線照射装置に臨む電子線吸収用の電子ビームキャッチャーも採用されている。
【０００５】
すなわち、被覆電線のような長尺被処理物に電子線処理を施す電子線処理装置は、一般的には、電子線照射室と、前記電子線照射室に設けられた電子線照射装置と、前記電子線照射装置の電子線照射窓に臨むように配置されて用いられるキャプスタン装置及び電子ビームキャッチャーとを含んでいる。
【０００６】
前記キャプスタン装置は、一般的には、第１及び第２のプーリ群を含んでおり、電子線照射対象の長尺被処理物を該第１及び第２のプーリ群に巻き掛け走行させることができ、電子ビームキャッチャーは該第１及び第２のプーリ群間の長尺被処理物走行路を間にして前記電子線照射窓に臨むように配置される。
【０００７】
このような電子線処理装置には、電子線照射室が大きく形成されていて、キャプスタン装置のプーリ群に長尺被処理物を新たに巻き掛けたり、途中で切れた長尺被処理物を繋ぐ等の作業を行うときには、作業者が電子線照射室内へ入って、これら作業を行えるものががある。
【０００８】
一方、電子線照射室が電子線照射装置を設けるとともにキャプスタン装置及び電子ビームキャッチャー程度の限られた機器類を設置できる程度の大きさにしか形成されておらず、キャプスタン装置のプーリ群に長尺被処理物を新たに巻き掛けたり、途中で切れた長尺被処理物を繋ぐ等の作業を行うときには、キャプスタン装置を電子線照射室外へ引き出してこれら作業を行うようにしたものもある。
【０００９】
前者の電子線処理装置では、電子線照射装置について例えば電子線照射窓の点検、清掃作業を行うときに、電子ビームキャッチャーが長尺被処理物の電子線処理時と同じ位置にあるのでは、邪魔になって作業が困難になる。
また、キャプスタン装置に長尺被処理物を新たに巻き掛けたり、途中で切れた長尺被処理物を繋ぐ等の作業を行うときにも電子ビームキャッチャーが邪魔になり、これら作業を行い難い。
【００１０】
そこで前者タイプの電子線処理装置については、例えば、実開平４−１３１８１５号公報に記載されているように、電子線照射処理のための長尺被処理物（同公報では「ケーブル」）の配置位置は電子線照射室内の定位置であるが、電子ビームキャッチャーについては、電子線照射室内で、電子線照射窓やプーリ群から退避した位置へ回動できるようにしたものがある。
【００１１】
キャプスタン装置を電子線照射室外へ引き出すことができる後者タイプの電子線処理装置でも、キャプスタン装置を電子線照射室外へ引き出すことで、電子線照射室内の電子線照射窓等についての点検、清掃、部品交換等は行い易くなる。
【先行技術文献】
【特許文献】
【００１２】
【特許文献１】特開２００３−１５７７３６号公報
【特許文献２】実開平４−１３１８１５号公報
【発明の概要】
【発明が解決しようとする課題】
【００１３】
しかしながら、キャプスタン装置を電子線照射室外へ引き出すことができる後者タイプの電子線処理装置では、電子ビームキャッチャーを電子線照射室内に残したままキャプスタン装置だけを室外へ引き出したのでは、残された電子ビームキャッチャーが邪魔になって電子線照射室内の電子線照射窓等についての点検、清掃、部品交換等を行い難い。
【００１４】
かといって、電子ビームキャッチャーをキャプスタン装置に組み合わせて、キャプスタン装置とともに室外へ引き出せるようにするだけでは、引き出したキャプスタン装置に長尺被処理物を新たに巻き掛けたり、途中で切れた長尺被処理物を繋ぐ等の作業を行うとき、電子ビームキャッチャーが邪魔になり、これら作業を行い難い。
【００１５】
そこで本発明は、電子線照射室と、前記電子線照射室に設けられた電子線照射装置と、前記電子線照射装置の電子線照射窓に臨むように配置されて用いられるキャプスタン装置及び電子ビームキャッチャーとを含んでおり、前記キャプスタン装置は第１及び第２のプーリ群を含んでおり、電子線照射対象の長尺被処理物を該第１及び第２のプーリ群に巻き掛け走行させることができ、前記電子ビームキャッチャーは前記第１及び第２のプーリ群間の長尺被処理物走行路を間にして前記電子線照射窓に臨むように配置されるものであり、前記電子線照射室内で、前記キャプスタン装置の第１及び第２のプーリ群に巻き掛け走行させた電子線照射対象の長尺被処理物に前記電子線照射装置から電子線を照射して目的とする処理を施す電子線処理装置であって、キャプスタン装置に長尺被処理物を巻き掛ける作業、キャプスタン装置に巻き掛けられた長尺被処理物が途中で切れたときの繋ぎ作業等のキャプスタン装置及び長尺被処理物に関係する作業並びに電子線照射装置の点検、清掃、修理、部品交換等の電子線照射装置に関係する作業のいずれも行い易い電子線処理装置を提供することを課題とする。
【課題を解決するための手段】
【００１６】
本発明は前記課題を解決するため、
電子線照射室と、前記電子線照射室に設けられた電子線照射装置と、前記電子線照射装置の電子線照射窓に臨むように配置されて用いられるキャプスタン装置及び電子ビームキャッチャーとを含んでおり、前記キャプスタン装置は第１及び第２のプーリ群を含んでおり、電子線照射対象の長尺被処理物を該第１及び第２のプーリ群に巻き掛け走行させることができ、前記電子ビームキャッチャーは前記第１及び第２のプーリ群間の長尺被処理物走行路を間にして前記電子線照射窓に臨むように配置されるものであり、前記電子線照射室内で、前記キャプスタン装置の第１及び第２のプーリ群に巻き掛け走行させた電子線照射対象の長尺被処理物に前記電子線照射装置から電子線を照射して目的とする処理を施す電子線処理装置であり、前記キャプスタン装置及び前記電子ビームキャッチャーは前記電子線照射室に対して出し入れ可能であり、前記電子ビームキャッチャーは前記電子線照射室から引き出された前記キャプスタン装置に対して出し入れ可能である電子線照射装置を提供する。
【００１７】
本発明に係る電子線処理装置によると、前記キャプスタン装置及び前記電子ビームキャッチャーは前記電子線照射室に対して出し入れ可能であるから、それらを電子線照射室から引き出すことで電子線照射室内にできる空間を利用して、電子線照射室に設けられている電子線照射装置の点検、清掃、修理、部品交換等の電子線照射装置に関係する作業を容易に行える。
【００１８】
また、キャプスタン装置及び電子ビームキャチャーを共に電子線照射室外へ引き出し、さらに電子ビームキャッチャーをキャプスタン装置から引き出すことができ、そうすることで、電子ビームキャチャーに邪魔されることなく、キャプスタン装置に長尺被処理物を巻き掛ける作業、キャプスタン装置に巻き掛けられた長尺被処理物が途中で切れたときの繋ぎ作業等のキャプスタン装置及び長尺被処理物に関係する作業を容易に、作業効率よく行える。また、電子ビームキャッチャーの点検等も容易に行える。
【００１９】
本発明に係る電子線処理装置においては、前記キャプスタン装置における前記第１及び第２のプーリ群はそれぞれの回転軸の両端部を軸受け装置を介して該キャプスタン装置の台フレームに回転可能に支持することができる。その場合、前記第１、第２のプーリ群の回転軸のそれぞれの一端部を支持する軸受け装置は、該回転軸を該回転軸他端部を支持する軸受け装置に片持ち支持させた状態で分解組み立て可能としてもよい。
【００２０】
このように片側の軸受け装置を分解組み立て可能とすることで、分解して、軸受け装置のあるべき箇所を空間として、そこを長尺被処理物が通過可能として、それだけ、キャプスタン装置の第１、第２のプーリ群に対する長尺被処理物の巻き掛け作業等をより容易に行うことができる。
【発明の効果】
【００２１】
以上説明したように、本発明によると、電子線照射室と、前記電子線照射室に設けられた電子線照射装置と、前記電子線照射装置の電子線照射窓に臨むように配置されて用いられるキャプスタン装置及び電子ビームキャッチャーとを含んでおり、前記キャプスタン装置は第１及び第２のプーリ群を含んでおり、電子線照射対象の長尺被処理物を該第１及び第２のプーリ群に巻き掛け走行させることができ、前記電子ビームキャッチャーは前記第１及び第２のプーリ群間の長尺被処理物走行路を間にして前記電子線照射窓に臨むように配置されるものであり、前記電子線照射室内で、前記キャプスタン装置の第１及び第２のプーリ群に巻き掛け走行させた電子線照射対象の長尺被処理物に前記電子線照射装置から電子線を照射して目的とする処理を施す電子線処理装置であって、キャプスタン装置に長尺被処理物を巻き掛ける作業、キャプスタン装置に巻き掛けられた長尺被処理物が途中で切れたときの繋ぎ作業等のキャプスタン装置及び長尺被処理物に関係する作業並びに電子線照射装置の点検、清掃、修理、部品交換等の電子線照射装置に関係する作業のいずれも行い易い電子線処理装置を提供することができる。
【図面の簡単な説明】
【００２２】
【図１】本発明に係る電子線処理装置の１例の正面図である。
【図２】キャプスタン装置及び電子ビームキャッチャーの平面図である。
【図３】図３（Ａ）は冷却装置の平面図であり、図３（Ｂ）は冷却装置における上下樋とそれを通過する長尺被処理物の一部の斜視図である。
【図４】キャプスタン装置及び電子ビームキャッチャーを電子線照射室から引き出し、さらにキャプスタン装置から電子ビームキャッチャーを引き出した状態の側面図である。
【図５】第１、第２のプーリ群の手前側軸受け装置を分解し、長尺被処理物を巻き掛けたのち再び組み立てる様子を示す図である。
【発明を実施するための最良の形態】
【００２３】
以下図面を参照して本発明の実施形態について説明する。
図１は本発明に係る電子線処理装置の１例を示している。図１の電子線処理装置１０は電子線照射室１と、電子線照射室１の上部に設けられた電子線照射装置２と、電子線照射装置２の電子線照射窓２１に臨むように、その下方に配置されて用いられるキャプスタン装置３及び電子ビームキャッチャー６とを含んでいる。
【００２４】
電子線照射室１は鎖線で簡略化して示しているが、電子線漏洩防止壁体で形成されており、図１に示す正面側の開口１１を図示省略の電子線漏洩防止扉で開閉できる。
電子線照射装置２は、それ自体既に知られているものである。
【００２５】
キャプスタン装置３は台フレーム３０にキャプスタンプーリ群を搭載したものである。  キャプスタンプーリ群は図１、図２において右側の第１プーリ群３１及び左側の第２プーリ群３２を含んでいる。
【００２６】
第１プーリ群３１は、共通の回転軸３１０上に若干の間隔をあけて支持された手前側プーリ群３１１とその奥側のプーリ群３１２とからなっている。プーリ群３１１、３１２のそれぞれは、複数のプーリを順次隣り合わせて軸３１０上に配置した如き形態のもので、全体が一体的に形成されたドラム型のものである。
【００２７】
第２プーリ群３２は、共通の回転軸３２０上に若干の間隔をあけて支持された手前側プーリ群３２１とその奥側のプーリ群３２２とからなっている。プーリ群３２１、３２２のそれぞれも、複数のプーリを順次隣り合わせて軸３２０上に配置した如き形態のもので、全体が一体的に形成されたドラム型のものである。
【００２８】
なお、上記の各プーリ群は、それぞれが独立形成されているプーリを軸上に複数個、順次隣り合わせて配列した形態のもの等でもよい。
【００２９】
第１、第２のプーリ群３１、３２の軸３１０、３２０のそれぞれは、図１、図２において手前側端部が手前側の軸受け装置４１にて台フレーム３０に回転可能に支持されているとともに奥側端部が奥側軸受け装置４２にて台フレーム３０に回転可能に支持されている。
【００３０】
第１、第２のプーリ群３１、３２の軸３１０、３２０を支持している手前側の各軸受け装置４１は、図１、図２のほか後述する図５の下側部分にも示すように、軸３１０（３２０）の手前側端部に嵌められた軸受け（ベアリング）４１１を上下部材４１２、４１３で上下から挟着して台フレーム３０に固定するものである。さらに言えば、下部材４１３を台フレーム３０にボルトｂ１で取り外し可能に固定し、この下部材４１３に軸受け４１１の下半部を嵌め、その軸受けの上半部に上部材４１２を嵌め被せて該上部材４１２を下部材４１３にボルトｂ２で取り外し可能に固定するものである。
【００３１】
第１、第２のプーリ群３１、３２の軸３１０、３２０の奥側端部を回転可能に支持している奥側の各軸受け装置４２も手前側軸受け装置４１と実質上同構造のものである。
【００３２】
第１プーリ群３１の軸３１０の奥側の端部は上記のとおり軸受け装置４２で回転可能に支持されているのであるが、さらに、該軸端部はチエーン伝動装置Ｃ１を介して電動モータＭ１に連結されており、モータＭ１にてチエーン伝動装置Ｃ１を介して軸３１０の奥側の端部を回転駆動することができ、それにより第１プーリ群３１を図１において時計方向に回転駆動することができる。
【００３３】
第２プーリ群３２の軸３２０の奥側の端部も上記のとおり軸受け装置４２で回転可能に支持されているのであるが、さらに、該軸端部はチエーン伝動装置Ｃ２を介して電動モータＭ２に連結されており、モータＭ２にてチエーン伝動装置Ｃ２を介して軸３２０の奥側の端部を回転駆動することができ、それにより第２プーリ群３２を図１において反時計方向に第１プーリ群３１と同周速で回転駆動することができる。
なお、第１、第２のプーリ群はいずれかをモータ駆動可能とし、他方を伝動機構を介して所定方向に従動するようにしてもよい。
【００３４】
キャプスタン装置３によると、電子線照射処理対象である、例えば合成樹脂被覆電線のような長尺被処理物であって、図示省略の繰出しリールから繰り出される長尺被処理物Ｓを第１プーリ群３１の奥側のプーリ群３１２の奥側のプーリ相当部分の下面に掛け、そこから第２プーリ群３２の奥側のプーリ群３２２の奥側のプーリ相当部分の上面から下面に巻き掛け、さらに、第１プーリ群３１へ戻して奥側プーリ群３１２の最初に使用したプーリ相当部分から２番目のプーリ相当部分に上面から下面に巻き掛けるというようにして、長尺被処理物Ｓを第１プーリ群３１の奥側プーリ群３１２と第２プーリ群３２の奥側プーリ群３２２との間に８の字状に順次巻き掛け、さらに、第１プーリ群３１の手前側プーリ群３１１と第２プーリ群３２の手前側プーリ群３２１との間に８の字状に順次巻き掛け、最終的には第１プーリ群３１の手前側プーリ群３１１の手前側のプーリ相当部分の上面を経て図示省略の巻き取りリールに送りだすことができる。
【００３５】
そして、モータＭ１、Ｍ２にて第１、第２のプーリ群３１、３２をそれぞれ回転駆動することで、第１、第２のプーリ群３１、３２間に長尺被処理物Ｓを走行させることができる。
【００３６】
このキャプスタン装置３では、第１、第２のプーリ群３１、３２間に巻き掛けられて走行する長尺被処理物Ｓは、途中で、プーリ群３１、３２の下方で台フレーム３０に設けた冷却装置５に通過せしめられるようになっている。冷却装置５は本例では水冷による冷却装置である。
【００３７】
冷却装置５は、第１、第２のプーリ群３１、３２の奥側プーリ群３１２、３２２間に巻き掛けられ、次いで手前側プーリ群３１１、３２１間に巻き掛けられる長尺被処理物Ｓを手前側プーリ群３１１、３２１に巻き掛けるに前に、台フレーム３０の天板３０１に形成した被処理物通し孔３０１ａに上から下へ通して冷却するものである。さらに言えば、図３にも示すように、被処理物通し孔３０１ａに上から下へ通された長尺被処理物Ｓを回転自在の左側プーリ群５１と回転自在の右側プーリ群５２とに順次数ターン巻き掛け、且つ、その走行において長尺被処理物Ｓを図３（Ｂ）に示すように上段樋５３及び下段樋５４にはった冷却水中に通過させるものである。
【００３８】
冷却装置５を通過した長尺被処理物Ｓは台フレーム３０の天板３０１に形成されたもう一つの通し孔３０１ｂに下から上へ通され、台フレーム３０上に設けられた案内プーリ３３の上面に掛けまわされて、第１プーリ群３１の手前側プーリ群３１１の一つのプーリ相当部分の下面に巻き掛けられ、以後、前記のとおり第１、第２のプーリ群３１、３２の手前側のプーリ群３１１、３２１間に巻き掛けられ、最終的に巻取りリールに巻き取られる。
【００３９】
このキャプスタン装置３は、図４等に示すように、台フレーム３０に設けた車輪３ｗによりレールＲ１上を移動することができる。レールＲ１は電子線照射室１の内外にわたって延設されており、従って、キャプスタン装置３は電子線照射室１に対し出し入れ可能である。
【００４０】
キャプスタン装置３の第１、第２のプーリ群３１、３２の間には電子ビームキャッチャー６が配置されている。
電子ビームキャッチャー６は、プーリ群３１、３２間に巻き掛けられ、走行する長尺被処理物Ｓに照射された電子線のうち、長尺被処理物の走行路を通過してくるものを吸収するためのものであり、本例では水冷可能に形成されている。
【００４１】
さらに説明すると、電子ビームキャッチャー６は、図１、図２に示すように、正面側からみて右側のパイプ群６１と左側のパイプ群６２とからなっている。パイプ群６１、６２のそれぞれは、ステンレススチール製パイプを並行に並べた板状のものであり、左右のパイプ群６１、６２は正面側からみると、図１に示すように屋根状に配置されている。
【００４２】
冷却水は図示省略のポンプで送られ、図２に示すように冷却水入口Ｐ１から供給され、それに続くパイプでパイプ群６２の下を通って奥側パイプｐ’からパイプ群６２に入り、各パイプをジクザグ状に流れながら、ジョイントＪＰへ至り、そこから右側のパイプ群６１へ入り、各パイプをジクザグ状に流れながら奥側のパイプｐ”及び右側のパイプ群６１下のパイプを経て出口Ｐ２から流出し、図示省略の廃棄タンクへ放出されるか、或いは循環使用される。
【００４３】
左右のパイプ群６１、６２は正面側からみると、図１に示すように屋根状に配置されている。そうすることで、第１、第２のプーリ群３１、３２間に８の字状に巻き掛けられ、走行する長尺被処理物Ｓに接近し、それにより、電子ビームをできるだけ空気に触れさせないでオゾン発生を抑制するとともにエネルギーロスも抑制している。
【００４４】
電子ビームキャッチャー６は図１、図４に示すように、車輪６ｗを有しているとともにキャッチャー６の奥側の部分から、且つ、キャプスタン装置３の台フレーム３０よりさらに奥側で、下方へ延びる車輪支持脚６０を有しており、その支持脚下端部にも車輪６ｗ’を有している。
【００４５】
車輪６ｗは台フレーム３０の天板３０１に設けたレールＲ２に乗っており、従って、電子ビームキャッチャー６は車輪６ｗを介して台フレーム３０上に搭載されているとともにレールＲ２に沿って移動できる。また、車輪６ｗ’は前記レールＲ１と並行に設けたレールＲ３に沿って移動できる。
【００４６】
かくして、電子ビームキャッチャー６は、図４に示すように、キャプスタン装置３とともに電子線照射室１に対して出し入れ可能であり、電子線照射室１外へ引き出したキャプスタン装置３に対しても出し入れ可能である。図４は電子線照射室１外へ引き出したキャプスタン装置３から電子ビームキャッチャー６を引き出した状態を示している。
【００４７】
なお、キャッチャー６が台フレーム３０から脱落しないように、装置３からのキャッチャー６の引き出し量はストッパＳＴで制限してある。ストッパＳＴは台フレーム３０上の、車輪６ｗの移動の邪魔にならない部位に設けてあり、キャッチャー６に設けた図示省略の係合部材がストッパＳＴに当接することで装置３からのキャッチャー６の引き出し量が制限される。
【００４８】
以上説明した電子線処理装置１０によると、電子ビームキャッチャー６をキャプスタン装置３に入れた状態で、これら両者を電子線照射室１内に配置し、且つ、第１、第２のプーリ群３１、３２間に、長尺被処理物Ｓを巻き掛け、且つ、途中で冷却装置５に通過させつつ走行させることで、電子線照射装置２から電子線を照射して、目的とする電子線処理（例えば、電線被覆樹脂の架橋処理等）を行える。
【００４９】
キャプスタン装置３及び電子ビームキャッチャー６は電子線照射室１に対して出し入れ可能であるから、それらを電子線照射室１から引き出すことで、電子線照射室１内に開いた空間を利用して、電子線照射室１に設けられている電子線照射装置２の点検、清掃、修理、部品交換等の電子線照射装置に関係する作業を容易に行える。
【００５０】
また、キャプスタン装置３及び電子ビームキャチャー６を共に電子線照射室１外へ引き出し、さらに電子ビームキャッチャー６をキャプスタン装置３から引き出すことができ、そうすることで、電子ビームキャチャー６に邪魔されることなく、キャプスタン装置３に長尺被処理物Ｓを巻き掛ける作業、キャプスタン装置３に巻き掛けられた長尺被処理物Ｓが途中で切れたときの繋ぎ作業等のキャプスタン装置３及び長尺被処理物Ｓに関係する作業を容易に、作業効率よく行える。また、電子ビームキャッチャー６の点検等も容易に行える。
【００５１】
また、この作業にあたっては、図６を参照して説明したように、第１及び第２のプーリ群３１、３２の軸３１０、３２０を支持している手前側の軸受け装置４１、４１を、奥側の軸受け装置４２、４２に軸３１０、３２０を片持ち支持させた状態で分解して、手前側から第１及び第２のプーリ群３１、３２の下方域へのアクセスを可能とでき、それにより、キャプスタン装置３に長尺被処理物Ｓを巻き掛ける作業、キャプスタン装置３に巻き掛けられた長尺被処理物Ｓが途中で切れたときの繋ぎ作業等のキャプスタン装置３及び長尺被処理物Ｓに関係する作業を一層容易に、作業効率よく行える。
【産業上の利用可能性】
【００５２】
本発明は、合成樹脂等で被覆した電線のような長尺被処理物をキャプスタンプーリ群に巻き掛けて走行させつつ該長尺被処理物に電子線を照射することに利用できる。
【符号の説明】
【００５３】
１０  電子線処理装置
１  電子線照射室
１１  室１の正面側開口
２  電子線照射装置
２１  電子線照射窓
３  キャプスタン装置
３０  台フレーム
３０１  天板
３０１ａ、３０１ｂ  孔
３１  第１プーリ群
３１０  回転軸
３１１  手前側プーリ群
３１２  奥側プーリ群
３２  第２プーリ群
３２０  回転軸
３２１  手前側プーリ群
３２２  奥側プーリ群
４１、４２  軸受け装置
４１１  軸受け
４１２  上部材
４１３  下部材
ｂ１、ｂ２  ボルト
Ｃ１、Ｃ２  チエーン伝動装置
Ｍ１、Ｍ２  モータ
３ｗ、６ｗ、６ｗ’  車輪
Ｒ１、Ｒ２、Ｒ３  レール
５  冷却装置
５１、５２  プーリ群
５３、５４  樋
６  電子ビームキャッチャー
６１、６２  パイプ群
Ｐ１  冷却水入口
Ｐ２  冷却水出口
Ｓ  長尺被処理物
【図１】
2012078261.tif 000003
【図２】
2012078261.tif 000004
【図３】
2012078261.tif 000005
【図４】
2012078261.tif 000006
【図５】
2012078261.tif 000007